(57)【要約】      （修正有）【課題】改善された蛇口用ノズル組立体を提供する。【解決手段】互いに横に配置された第１のノズル（水ノズル）２５及び第２のノズル（泡ノズル）２３を有する。第２のノズル２３は、フレア形の吐出端部２９を有し、フレア形の吐出端部は、第１のノズル２５の吐出端部の前で、２つの吐出端部がオーバラップするように外向きに広がる。ノズル組立体は、蛇口に取付けられる内蔵式ノズルユニット２１の一部として組込まれる。【選択図】図３
2014040771.tif 000002
【特許請求の範囲】
【請求項１】
蛇口用のノズル組立体であって、
互いに横に配置された第１のノズル及び第２のノズルを有し、
前記第２のノズルは、フレア形の吐出端部を有し、前記フレア形の吐出端部は、前記第１のノズルの吐出端部の前で、２つの前記吐出端部がオーバラップするように外向きに広がる、ノズル組立体。
【請求項２】
前記フレア形の吐出端部は円錐形である、請求項１に記載のノズル組立体。
【請求項３】
前記第１のノズルは、前記第２のノズルを少なくとも部分的に包囲する、請求項１又は２に記載のノズル組立体。
【請求項４】
前記第１のノズルは、前記第２のノズルを包囲する環状の吐出端部を有し、
前記第２のノズルは、前記第１のノズルの環状の吐出端部を越えて突出する、請求項３に記載のノズル組立体。
【請求項５】
前記２つのノズルは、仕切り壁によって分割される、請求項１〜４のいずれか１項に記載のノズル組立体。
【請求項６】
前記仕切り壁は、前記環状の吐出端部の内壁を構成する、請求項５に記載のノズル組立体。
【請求項７】
前記仕切り壁は、前記環状の吐出端部の外壁を越えて突出する、請求項６に記載のノズル組立体。
【請求項８】
前記仕切り壁の突出部は、フレア形であり、前記第２のノズルの吐出端部を構成する、請求項６に記載のノズル組立体。
【請求項９】
前記フレア形の吐出端部は、別部品として形成され、前記第２のノズルの一部を構成する供給ダクトの端部に圧入される、請求項１〜７のいずれか１項に記載のノズル組立体。
【請求項１０】
前記第２のノズルの吐出端部は、メッシュスクリーン又は格子を有し、前記吐出端部を通過する流体に乱流を導入する、請求項１〜９のいずれか１項に記載のノズル組立体。
【請求項１１】
請求項１〜１０のいずれか１項に記載のノズル組立体を含む蛇口。
【請求項１２】
請求項１１に記載の蛇口を含む装置であって、
前記第２のノズルは、必要なときに泡石けんを前記第２のノズルから吐出するために泡石けんの供給部に接続され、
前記第１のノズルは、必要なときに水を前記第１のノズルから吐出するために水供給部に接続される、装置。
【発明の詳細な説明】
【技術分野】
【０００１】
本発明は、特に水と泡石けんを別々に送出する蛇口用のノズル組立体に関する。
【背景技術】
【０００２】
「複合型」の蛇口は、民間の洗面所に導入される場合があり、ユーザが必要とする際に流し台の洗面の上に水と泡石けんを別々に送出できるように設計されている。これにより、洗面所に設けられる別個の独立した石けん送出器は必要なくなる。
【０００３】
このような複合型蛇口が、特許文献１に説明されている。石けんは、ノズルの上流側で通気され、液体形態ではない泡として供給される。これにより、使用サイクル毎の石けんの使用量が低減される。
【先行技術文献】
【特許文献】
【０００４】
【特許文献１】米国特許公開第２００７／０１５２０８２号明細書
【発明の概要】
【発明が解決しようとする課題】
【０００５】
本発明の目的は、改善された蛇口用ノズル組立体を提供することにある。ノズル組立体は、主として泡石けん及び水を供給することが意図されているが、本発明はこれに限定されるものではない。
【課題を解決するための手段】
【０００６】
本発明によれば、蛇口（水栓、ｆａｃｅｔ，ｔａｐ）用ノズル組立体が提供され、蛇口用ノズル組立体は、互いに横に配置された第１のノズル及び第２のノズルを有し、第２のノズルは、フレア形の吐出端部を有し、フレア形の吐出端部は、第１のノズルの吐出端部の前で、２つの吐出端部がオーバラップするように外向きに広がる。
【０００７】
本発明は、第２のノズルが第１のノズルの吐出端部の前でそれとオーバラップするように配置されることにより、比較的コンパクトなノズル組立体を効果的に提供する。これは、水ノズル及び泡石けんノズルの各吐出端部が互いに横に配置されるけれども互いにオーバラップしていない特許文献１の従来の２ノズル構成と異なっている。従って、本発明によれば、大きな全吐出領域を同程度のサイズのノズル組立体内にパッケージ化することを可能にする。
【０００８】
第２のノズルの吐出端部は、円錐形（円錐台形を含む）とすることができるが、これは必須ではない。
【０００９】
第２のノズルのフレア形の吐出端部は、第２のノズルの一部を形成する供給ダクトの端部に嵌め込まれる別部品であるのがよい。従って、吐出端部は、仕様に基づいて、各ノズルの各吐出端部の間のオーバラップを変えるために他の吐出端部と取替え可能であるのがよい。吐出端部は、ダクト部分と単純な圧入で係合するのがよい。
【００１０】
第１のノズルは、少なくとも部分的に第２のノズルを包囲するのがよい。例えば、第１のノズルは、第２のノズルの両側に沿って延びる２つ又はそれ以上の分岐部を含み、第１のノズルの吐出端部は、異なる分岐部のそれぞれの吐出端部によって構成される。そうでなければ、第１のノズルは、第２のノズルを包囲する環状の吐出端部を有し、第２のノズルは、第１のノズルの環状の吐出端部の外壁を越えて突出してもよい。いずれの場合も、第２のノズルは、第２のノズルの両側において第１のノズルの吐出端部の前でオーバラップするように配置される。これは特にコンパクトな構成である。第２のノズルは、第２のノズルのフレア形の吐出端部が第１のノズルの吐出端部と第２のノズルの全周囲においてオーバラップするように配置されるのがよい。このことは、例えば、第２のノズルが円錐形の吐出端部を備えることで好都合に実現することができる。
【００１１】
第１のノズル及び第２のノズルは、２つのノズルの各吐出端部を分割すること、又は、少なくともノズル部分を分割することができる共通仕切り壁を共有するのがよい。第１のノズルが環状の吐出端部を有する場合、共通仕切り壁は、環状吐出端部の内壁を構成し、同時に第２のノズルの外壁を構成する。仕切り壁は、第１のノズルの環状の吐出端部の外壁の端部を越えて突出するのがよく、この場合、共通仕切り壁の吐出端部は、第２のノズルのフレア形の吐出端部を構成する。そうでなければ、共通仕切り壁は、第２のノズルの一部を形成する供給ダクトを構成し、第２のノズルの吐出端部は、供給ダクトに圧入される別個の部品として設けられてもよい。
【００１２】
ノズル組立体は、蛇口に取付けられる内蔵式ノズルユニットの一部として組込まれるのがよい。
【００１３】
本発明の他の態様において、ノズル組立体を備える蛇口が提供される。
【００１４】
蛇口は、泡及び水を別々に供給するように構成することができる。従って、蛇口を備える装置を提供することができ、蛇口は、第１のノズルの入口端部が水供給部に接続され且つ第２のノズルの入口端部が泡の供給部に接続されるように構成される。蛇口は、例えば、民間の洗面所の流し台の洗面の近くに設置され、水供給部に接続される第１のノズル及び泡の供給部に接続される第２のノズルを有する。泡の接続部は、具体的には、泡石けんの供給部である。
【００１５】
比較的大きな吐出領域は、ユーザが多量に見える泡製品が贅沢かつ豪華と知覚する場合が多いので、蛇口から泡を供給する場合に特に好都合である。このことは、泡石けんに特にあてはまり、このことは、ホテルや健康施設等で具体化することができる。同時に、比較的コンパクトなノズル組立体を提供する本発明を利用すると、ノズル組立体を最小の蛇口に組込むことが可能になる。
【００１６】
第２のノズルのフレア形の吐出端部は、好都合には、泡を吐出前に減速させる。メッシュスクリーンは、吐出直前に減速した泡に空気を混合するタービュレータとして機能するように、第２のノズルの吐出端部よりも上に設けられるのがよい。これにより泡の一貫性を改善することができる。
【００１７】
本発明の実施形態を、添付図面を参照して以下に説明する。
【図面の簡単な説明】
【００１８】
【図１】本発明によるオーバラップする吐出端部を有するノズルの概念を示す２次元表現図である。
【図２】オーバラップする吐出端部を有するノズルの概念を示す別の２次元表現図である。
【図３】本発明によるノズル組立体を組込んだノズルユニットの斜視図である。
【図４】図３に示すノズルユニットの部分的な断面図である。
【図５】図３に示すノズルユニットの主要部の分解図である。
【図６】泡石けん及び水を流し台の洗面の上に供給することを意図した、蛇口の吐水口に取付けられたノズルユニットを示す断面図である。
【図７】泡がノズル組立体から吐出されている、図６に対応した断面図である。
【図８】水がノズル組立体から吐出されている、図６に対応した断面図である。
【発明を実施するための形態】
【００１９】
図１は、本発明の基本概念を示すことを意図した２次元表現図である。図１は、互いに横に配置された２つのノズルを示す。第１のノズル１は、開放入口端部３と、開放吐出端部５を有する。第２のノズル７は、同様に、開放入口端部９と、開放吐出端部１１を有する。第２のノズルの吐出端部１１は、フレア形の吐出端部であり、第１のノズル１の吐出端部５の前で外向きに延びている。オーバラップの度合いはΔＤとして示されている。かくして、２つのノズル１、７の外径Ｄは、個々の外径の合計（ｄ１＋ｄ２）から、オーバラップΔＤを引き算した値であり、２つのノズル１、７の吐出端部５、１１がオーバラップしない（ΔＤ＝０）場合よりもコンパクトな構成になる。本実施例ではフレア形の吐出端部１１は非対称である。
【００２０】
図２は、第１のノズル１５が第２のノズル１３を包囲する構成を示す。第１のノズル１５は、２つの別個の分岐部１５ａ、１５ｂを含み、分岐部１５ａ、１５ｂは、第２のノズル１３の両側に沿って延びている。各分岐部１５ａ、１５ｂは、それぞれの吐出端部１９ａ、１９ｂを有し、吐出端部１９ａ、１９ｂは、一緒になって第１のノズル１５の吐出端部を構成する。第２のノズル１３は、対称のフレア形の吐出端部１７を含み、吐出端部１７は、両方の分岐部１５ａ、１５ｂのそれぞれの吐出端部１９ａ、１９ｂの前で外向きに広がっており、全オーバラップは２ΔＤである。これは特にコンパクトな構成である。
【００２１】
図３は、本発明によるノズル組立体を組込んだノズルユニット２１を示す。
【００２２】
ノズル組立体は、２つのノズルを有し、２つのノズルは、泡石けんを送出する泡ノズル２３と、それと別個に水を送出する水ノズル２５である。
【００２３】
泡ノズル２３は、円筒形の泡供給ダクト２７と、フレア形の吐出端部２９を含み、フレア形の吐出端部２９は、供給ダクト２７の下端部に圧入されている（図４参照）。
【００２４】
水ノズル２５は、中央の泡供給ダクト２７の周りに延びる環状の入口マニホルド３１（図４）と、バスケット３３とを含み、バスケット３３の開放上端部は、入口マニホルド３１の直ぐ上の取付けフランジ３５にクリップ留めされる。
【００２５】
バスケット３３の下端部は、水ノズル２５の吐出端部を構成する。バスケット３３の下端部は、環状の自己支持形の格子又はスクリーン３７を有し、格子又はスクリーン３７は、バスケット３３の外壁３９と中央ボス４１の間を延びている。
【００２６】
泡供給ダクト２７は、バスケット３３の内部を貫通して下方に延び、中央ボス４１の座ぐり孔４３を通ってバスケット３３の底部から突出している。従って、泡供給ダクト２７の壁は、泡ノズル２３と水ノズル２５の間の共通の仕切り壁として機能する。
【００２７】
座ぐり孔４３は、泡供給ダクト２７の下端部の周りの環状チャンネルを形成し、それにより、吐出端部２９を泡供給ダクト２７の下端部に圧入することを可能にする。
【００２８】
組立てを容易にするために、ノズルユニット２１は、図５に示す４つの別個の部品を含み、４つの部品は、ノズルユニット２１を形成するために互いにクリップ留めされている。第１の部品４５は、入口マニホルド３１と、中央の泡供給ダクト２７と、選択的な水の流量調整器を含み、流量調整器は、入口マニホルド３１の直ぐ上の環状のバルブハウジング４７の内部に収容される。第２の部品は、バスケット３３によって構成される。第３の部品は、円筒形の外側ハウジング４９であり、外側ハウジング４９は、バスケット３３の周りに嵌められ、入口マニホルド３１の上の取付けフランジ３５にクリップ留めされる。第４の部品は、泡供給ダクト２７の端部に圧入される吐出端部２９である。
【００２９】
ハウジング４９の上端部は、蛇口に取付けられる雄ねじ部を有している。図６は、泡石けんと水を流し台（図示せず）の洗面の上に別々に送出するように設計された蛇口の吐水口５１にねじ込まれたノズルユニット２１を示す。
【００３０】
泡石けんは、泡ノズル２３の上流の混合チャンバの中で液体石けんに通気させる在来のやり方を利用して生成される。好ましくは、混合チャンバ（図示せず）は、泡供給ダクト２７の入口端の近くに配置され、泡供給ダクト２７の入口端部にフレキシブルパイプ５３によって接続され、フレキシブルパイプ５３は、泡供給ダクト２７の入口端部に圧入される。従って、泡石けんは、泡供給ダクト２７の上端部をからノズルユニット２１に入り、泡供給ダクト２７の中を下方に流れ、その後、泡ノズル２３のフレア形の吐出端部２９から吐出される（図７参照）。泡は、フレア形の吐出端部２９を流れるときに膨張し、有利には、泡石けんの比較的広範囲の低速噴流を生成する（図７の点線で示す）。
【００３１】
水は、従来の水道本管によって水ノズル２５に供給される。水は、流量調整器の上部の一連の入口ポート（図示せず）からノズルユニット２１に入り、流量制御部を通って入口マニホルド３１の内部に流れる。水は、入口マニホルド３１から、その外面の周りに延びている一連の出口ポート５５を通ってバスケット３３の内部に供給され、その後、バスケット３３の下端部の環状格子３７から吐出されて、泡ノズル２３の吐出端部２９の周りを通る環状流を形成する（図８参照）。
【００３２】
水は、バスケット３３の内部で空気と混合された後、環状格子３７から吐出される。このことは、蛇口の水ノズルではごく普通に行われているが、必須ではない。この場合、空気は、外側ハウジングの壁の一連の空気取入れ口からバスケット３３に導入され、空気取入れ口は、バスケット３３と外側ハウジング４９との間に形成された環状プレナムチャンバ６１を介して、バスケット３３の外周の周りに延びる空気入口ポート５９のリングと連通している。
【００３３】
泡ノズル２３のフレア形の吐出端部２９は、水ノズル２５の環の状吐出端部の前で、これら２つの吐出端部がオーバラップするように外向に広がっている。このオーバラップを図５に示す。これにより、ノズルユニット２１のサイズを比較的コンパクトに保つ。
【００３４】
ノズルユニット２１は、他の適用例に用いられてもよく、主に泡及び空気混入液体を別個に供給することが要求される適用例に用いられるのがよい。
【００３５】
フレア形の吐出端部は、円錐台形である必要はなく、例えば、裁頭ピラミッド形、ベル形、階段形、フルート形であってもよい。フレア形状は、対称である必要はない（図２参照）。
【００３６】
泡ノズルのフレア形の吐出端部は、その出口を横切るメッシュスクリーン又は格子を有し、メッシュスクリーン又は格子は、吐出直前の泡のタービュレータとして機能することが意図されている。
【符号の説明】
【００３７】
２１  ノズルユニット
２３  泡ノズル（第２のノズル）
２５  水ノズル（第１のノズル）
２７  泡供給ダクト（仕切り壁）
２９  フレア形の吐出端部（第４の部品）
３１  環状の入口マニホルド
３３  バスケット（第２の部品）
３７  スクリーン
３９  外壁
４５  第１の部品
４９  外側ハウジング（第３の部品）
【図１】
2014040771.tif 000003
【図２】
2014040771.tif 000004
【図３】
2014040771.tif 000005
【図４】
2014040771.tif 000006
【図５】
2014040771.tif 000007
【図６】
2014040771.tif 000008
【図７】
2014040771.tif 000009
【図８】
2014040771.tif 000010